【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
プロセッサと、メモリと、１又はそれ以上のアンテナと、無線通信ユニットとを有し、
前記無線通信ユニットは、
無線通信装置のグループの中の無線通信装置へスケジューリングフレームを送信し、
ダウンリンク伝送期間中に前記グループの中の無線通信装置の夫々１つへ複数の異なる無線伝送を同時に送信し、
前記スケジューリングフレームは、
前記無線通信ユニットが前記無線通信装置のグループへ同時に送信する前記ダウンリンク伝送期間を示すダウンリンク伝送期間フィールドと、
前記無線通信装置のグループへ割り当てられるアドレスを示すグループアドレスＩＤフィールドと
を含む、装置。
【請求項２】
前記スケジューリングフレームは、前記ダウンリンク伝送期間の開始の時点を示すダウンリンク伝送開始オフセットフィールドを含む、
請求項１に記載の装置。
【請求項３】
前記スケジューリングフレームは、局情報（ＳＴＡ＿ＩＮＦＯ）タイプフィールドを含む、
請求項１又は２に記載の装置。
【請求項４】
前記グループアドレスＩＤフィールドは、４３ビットである、
請求項１乃至３のうちいずれか一項に記載の装置。
【請求項５】
無線通信装置からトラフィック仕様（ＴＳＰＥＣ）情報を受信し、
前記無線通信装置の前記トラフィック仕様情報に基づき当該無線通信装置を他の無線通信装置と同グループにまとめる、
請求項１乃至４のうちいずれか一項に記載の装置。
【請求項６】
前記トラフィック仕様情報は、前記無線通信ユニットによるトラフィックフローのトラフィックパターンと、前記トラフィックフローのクオリティ・オブ・サービスとを含むグループから選択される少なくとも１つの要素を含む、
請求項５に記載の装置。
【請求項７】
前記無線通信装置のグループは、ダウンリンク等時性グループ、双方向等時性グループ、又は双方向非同期性グループの中の１つであり、前記無線通信ユニットは更に、無線通信装置を、
当該無線通信装置に対応するトラフィック仕様情報が、ビデオ又は音声データの少なくとも１つを含むダウンリンクトラフィックパターンを表す場合は、前記ダウンリンク等時性グループへ、
当該無線通信装置に対応するトラフィック仕様情報が、ビデオ又は音声データの少なくとも１つを含む双方向トラフィックパターンを表す場合は、前記双方向等時性グループへ、
当該無線通信装置に対応するトラフィック仕様情報が、ビデオ又は音声データの少なくとも１つを含む前記ダウンリンクトラフィックパターン及びビデオ又は音声データの少なくとも１つを含む前記双方向トラフィックパターンとは異なるトラフィックパターンを表す場合は、前記双方向非同期性グループへ
割り当てることができる、
請求項５又は６に記載の装置。
【請求項８】
前記スケジューリングフレームは、
前記無線通信ユニットが前記グループの無線通信装置のうちの１又はそれ以上からアップリンク伝送を受信するアップリンク伝送期間を示すアップリンク伝送期間フィールドと、
前記アップリンク伝送期間の開始の時点を示すアップリンク伝送開始オフセットフィールドと
を更に含む、請求項１乃至７のうちいずれか一項に記載の装置。
【請求項９】
前記無線通信ユニットは更に、前記グループの無線通信装置の夫々１つへ複数のスケジューリングフレームのうちの夫々１つを送信し、該複数のスケジューリングフレームは、複数の重なり合わないアップリンク伝送期間を示す異なるアップリンク伝送開始オフセット値を有する、
請求項８に記載の装置。
【請求項１０】
前記無線通信ユニットは、前記アップリンク伝送期間中に前記グループの無線通信装置の夫々１つから複数の異なるアップリンク伝送を同時に受信する、
請求項８に記載の装置。
【請求項１１】
前記スケジューリングフレームを送信するより前に、前記スケジューリングフレームの伝送の存続期間及び前記ダウンリンク伝送期間の存続期間を少なくとも含む存続期間に無線通信媒体をリザーブする、
請求項１乃至１０のうちいずれか一項に記載の装置。
【請求項１２】
前記無線通信ユニットは、空間分割多重アクセス伝送の形で前記複数の伝送を送信する、
請求項１乃至１１のうちいずれか一項に記載の装置。
【請求項１３】
プロセッサと、メモリと、１又はそれ以上のアンテナと、無線通信ユニットとを有し、
前記無線通信ユニットは、
無線通信装置のグループの中の無線通信装置へスケジューリングフレームを送信し、
アップリンク伝送期間中に前記グループの中の無線通信装置の夫々１つから複数の異なるアップリンク無線伝送を同時に受信し、
前記スケジューリングフレームは、
ダウンリンク伝送期間を示すダウンリンク伝送期間フィールドと、
前記無線通信装置のグループへ割り当てられるアドレスを示すグループアドレスＩＤフィールドと、
前記無線通信ユニットが前記グループの無線通信装置のうちの１又はそれ以上からアップリンク伝送を受信する前記アップリンク伝送期間を示すアップリンク伝送期間フィールドと
を含む、装置。
【請求項１４】
無線通信装置からトラフィック仕様（ＴＳＰＥＣ）情報を受信し、
前記無線通信装置の前記トラフィック仕様情報に基づき当該無線通信装置を他の無線通信装置と同グループにまとめる、
請求項１３に記載の装置。
【請求項１５】
無線通信装置のグループの中の無線通信装置へスケジューリングフレームを送信するステップと、
ダウンリンク伝送期間中に前記グループの中の無線通信装置の夫々１つへ複数の異なる無線伝送を同時に送信するステップと
を有し、
前記スケジューリングフレームは、
前記無線通信装置のグループへ同時に送信する前記ダウンリンク伝送期間を示すダウンリンク伝送期間フィールドと、
前記無線通信装置のグループへ割り当てられるアドレスを示すグループアドレスＩＤフィールドと
を含む、方法。
【請求項１６】
無線通信装置からトラフィック仕様（ＴＳＰＥＣ）情報を受信するステップと、
前記無線通信装置の前記トラフィック仕様情報に基づき当該無線通信装置を他の無線通信装置と同グループにまとめるステップと
を有する請求項１５に記載の方法。
【請求項１７】
前記トラフィック仕様情報は、トラフィックフローのトラフィックパターンと、前記トラフィックフローのクオリティ・オブ・サービスとを含むグループから選択される少なくとも１つの要素を含む、
請求項１６に記載の方法。
【請求項１８】
前記無線通信装置のグループは、ダウンリンク等時性グループ、双方向等時性グループ、又は双方向非同期性グループの中の１つであり、当該方法は、無線通信装置を、
当該無線通信装置に対応するトラフィック仕様情報が、ビデオ又は音声データの少なくとも１つを含むダウンリンクトラフィックパターンを表す場合は、前記ダウンリンク等時性グループへ、
当該無線通信装置に対応するトラフィック仕様情報が、ビデオ又は音声データの少なくとも１つを含む双方向トラフィックパターンを表す場合は、前記双方向等時性グループへ、
当該無線通信装置に対応するトラフィック仕様情報が、ビデオ又は音声データの少なくとも１つを含む前記ダウンリンクトラフィックパターン及びビデオ又は音声データの少なくとも１つを含む前記双方向トラフィックパターンとは異なるトラフィックパターンを表す場合は、前記双方向非同期性グループへ
割り当てるステップを有する、
請求項１６又は１７に記載の方法。
【請求項１９】
前記スケジューリングフレームは、
アップリンク伝送が前記グループの無線通信装置のうちの１又はそれ以上から受信されるアップリンク伝送期間を示すアップリンク伝送期間フィールドと、
前記アップリンク伝送期間の開始の時点を示すアップリンク伝送開始オフセットフィールドと
を更に含む、請求項１５乃至１８のうちいずれか一項に記載の方法。
【請求項２０】
前記グループの無線通信装置の夫々１つへ複数のスケジューリングフレームのうちの夫々１つを送信するステップを有し、
前記複数のスケジューリングフレームは、複数の重なり合わないアップリンク伝送期間を示す異なるアップリンク伝送開始オフセット値を有する、
請求項１９に記載の方法。
【請求項２１】
前記アップリンク伝送期間中に前記グループの無線通信装置の夫々１つから複数の異なるアップリンク伝送を同時に受信するステップを有する
請求項１９に記載の方法。
【請求項２２】
前記スケジューリングフレームを送信するより前に、前記スケジューリングフレームの伝送の存続期間及び前記ダウンリンク伝送期間の存続期間を少なくとも含む存続期間に無線通信媒体をリザーブするステップを有する
請求項１５乃至２１のうちいずれか一項に記載の方法。
【請求項２３】
空間分割多重アクセス伝送の形で前記複数の伝送を送信するステップを有する
請求項１５乃至２２のうちいずれか一項に記載の方法。
【請求項２４】
少なくとも１つのコンピュータプロセッサによって実行される場合に、該少なくとも１つのコンピュータプロセッサが請求項１５乃至２３のうちいずれか一項に記載の方法を実施することを可能にするよう動作するコンピュータ実行可能命令を有する１又はそれ以上のコンピュータ可読非一時的記憶媒体を含む製品。